(57)【要約】【課題】表示画面に表示するショートカットボタンをユーザの意思に沿うように作成することができる車載電子機器およびナビゲーション装置を提供する。【解決手段】登録地メニュー画面４１に表示された自宅ボタン４２ａをタッチした後、登録領域３３へ向けてドラッグすると、自宅ボタン４２ａはタッチ位置にしたがって画面上を移動する。そして、登録領域３３の位置でタッチを離してドロップすると、トップメニュー画面に自宅ボタン４２ａのショートカットボタンが作成される。【選択図】図４
2008033763.tif 000002
【特許請求の範囲】
【請求項１】
表示モニタにメニュー画面を表示するメニュー画面表示手段と、
前記メニュー画面に表示されたボタンが選択されると他のメニュー画面を表示する、または前記ボタンに定義された処理を実行する選択ボタン処理手段と、
前記メニュー画面に表示されたボタンが前記メニュー画面に設けられた登録領域にドラック・アンド・ドロップ操作で移動されると、前記ボタンのショートカットボタンを画面に作成するショートカットボタン作成手段とを備えることを特徴とする車載電子機器。
【請求項２】
請求項１に記載の車載電子機器において、
前記画面に表示されたショートカットボタンが前記画面に設けられた削除領域にドラック・アンド・ドロップ操作で移動されると、前記画面に設けられたショートカットボタンを前記画面から削除するショートカットボタン削除手段をさらに備えることを特徴とする車載電子機器。
【請求項３】
請求項２に記載の車載電子機器において、
前記ショートカットボタン削除手段は、前記画面に表示されたショートカットボタン以外のボタンが前記画面に設けられた削除領域にドラック・アンド・ドロップ操作で移動されても、前記ショートカットボタン以外のボタンを削除しない削除ボタン制限手段を含むことを特徴とする車載電子機器。
【請求項４】
請求項１乃至３のいずれか１項に記載の車載電子機器において、
前記画面は、トップメニュー画面であること特徴とする車載電子機器。
【請求項５】
請求項１乃至４のいずれか１項に記載の車載電子機器を備えることを特徴とするナビゲーション装置。
【発明の詳細な説明】
【技術分野】
【０００１】
本発明は、ショートカットボタンを表示画面に表示する車載電子機器およびナビゲーション装置に関する。
【背景技術】
【０００２】
目的地設定画面に、都道府県名から目的地を探すショートカットボタンや施設を検索するショートカットボタンを表示するナビゲーション装置が従来技術として知られている（たとえば、特許文献１）。
【特許文献１】特開２００４−１７０３０１号公報
【発明の開示】
【発明が解決しようとする課題】
【０００３】
特許文献１に記載されているような従来のナビゲーション装置では、ショートカットボタンをユーザの意思に沿うように変更することができないという問題点がある。
【課題を解決するための手段】
【０００４】
（１）請求項１の発明の車載電子機器は、表示モニタにメニュー画面を表示するメニュー画面表示手段と、メニュー画面に表示されたボタンが選択されると他のメニュー画面を表示する、またはボタンに定義された処理を実行する選択ボタン処理手段と、メニュー画面に表示されたボタンがメニュー画面に設けられた登録領域にドラック・アンド・ドロップ操作で移動されると、ボタンのショートカットボタンを画面に作成するショートカットボタン作成手段とを備えることを特徴とする。
（２）請求項２の発明は、請求項１に記載の車載電子機器において、画面に表示されたショートカットボタンが画面に設けられた削除領域にドラック・アンド・ドロップ操作で移動されると、画面に設けられたショートカットボタンを画面から削除するショートカットボタン削除手段をさらに備えることを特徴とする。
（３）請求項３の発明は、請求項２に記載の車載電子機器において、ショートカットボタン削除手段は、画面に表示されたショートカットボタン以外のボタンが画面に設けられた削除領域にドラック・アンド・ドロップ操作で移動されても、ショートカットボタン以外のボタンを削除しない削除ボタン制限手段を含むことを特徴とする。
（４）請求項４の発明は、請求項１乃至３のいずれか１項に記載の車載電子機器において、画面は、トップメニュー画面であること特徴とする。
（５）請求項５の発明のナビゲーション装置は、請求項１乃至４のいずれか１項に記載の車載電子機器を備えることを特徴とする。
【発明の効果】
【０００５】
本発明によれば、ショートカットボタンを作成したいボタンをドラッグして、所定の位置にドロップすることによって、所定の画面にショートカットボタンを作成することができる。したがって、所定の画面にショートカットボタンをユーザの意思に沿って作成することができる。
【発明を実施するための最良の形態】
【０００６】
本発明の一実施形態によるナビゲーション装置の構成を図１に示す。図１のナビゲーション装置１には、表示画面のタッチ位置を検出するタッチパネル１９が設けられている。そして、表示モニタ１６に表示されたボタンをタッチしたしたままタッチ位置を移動することによって、タッチしたボタンをドラッグすることができる。ナビゲーション装置１は、制御回路１１、ＲＯＭ１２、ＲＡＭ１３、現在地検出装置１４、画像メモリ１５、表示モニタ１６、スピーカ１７、入力装置１８、タッチパネル１９およびディスクドライブ１１１を有している。ディスクドライブ１１１にはＤＶＤ−ＲＯＭ１１２が装填される。
【０００７】
制御回路１１は、マイクロプロセッサおよびその周辺回路からなり、ＲＡＭ１３を作業エリアとしてＲＯＭ１２などのメモリに格納された制御プログラムを実行して各種の制御を行う。この制御回路１１がＤＶＤ−ＲＯＭ１１２に記憶された地図データに基づいて所定の経路探索処理を行うと、その処理結果が推奨経路として表示モニタ１６に表示される。
【０００８】
現在地検出装置１４は車両の現在地を検出する装置であり、たとえば、車両の進行方向を検出する振動ジャイロ１４ａ、車速を検出する車速センサ１４ｂ、ＧＰＳ（ Global Positioning System ）衛星からのＧＰＳ信号を検出するＧＰＳセンサ１４ｃなどから成る。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、表示モニタ１６に表示するための画像データを格納する。この画像データは地図描画用データや各種の図形データからなり、それらはディスクドライブ１１１によって読み込まれるＤＶＤ−ＲＯＭ１１２に記憶された地図データに基づいて、適宜生成される。ナビゲーション装置１は、このようにして生成された画像データを用いることによって地図表示などを行うことができる。
【００１０】
ディスクドライブ１１１には、表示モニタ１６に表示する地図データが記録されたＤＶＤ−ＲＯＭ１１２が装填される。地図データは、地図表示用データ、経路探索用データなどを含み、表示用および経路探索用データには、道路のリンク情報およびノード情報が含まれている。地図表示用データは、広域から詳細まで複数の縮尺の地図データを有し、ユーザの要求にしたがって、表示地図の縮尺を変更することができる。ディスクドライブ１１１は、装填されたＤＶＤ−ＲＯＭ１１２から、表示モニタ１６へ地図を表示するための地図データを読み出す。なお、ＤＶＤ−ＲＯＭ１１２以外の他の記録メディア、たとえばＣＤ−ＲＯＭやハードディスクなどより地図データを読み出してもよい。
【００１１】
表示モニタ１６は、地図データなどの各種情報に基づいて、自車位置付近の道路地図などの各種情報を画面表示としてユーザに提供する。スピーカ１７は、ユーザの各種入力操作をガイトしたり、ユーザに対し経路誘導するためなどの音声を出力したりする。入力装置１８は、ユーザが各種コマンドを設定するための入力スイッチを有し、モニタ周囲のハードスイッチやリモコンなどによって実現される。ユーザは、表示モニタ１６の表示画面の指示に従って入力装置１８を手動で操作することにより、目的地を選択して目的地を設定する。
【００１２】
目的地がユーザにより設定されると、ナビゲーション装置１はＧＰＳセンサ１４ｃにより検出された現在地を出発地として目的地までの経路演算を所定のアルゴリズムに基づいて行う。以下、この経路演算を経路探索と呼ぶ。このようにして求められたルート（以下、推奨経路という）は、表示形態、たとえば表示色などを変えることによって、ほかの道路と区別して画面表示される。これにより、ユーザは地図上の推奨経路を画面上で認識することができる。また、ナビゲーション装置１は、推奨経路に従って車両が走行できるように、ユーザに対して画面や音声などによる進行方向指示を行い、車両を経路誘導する。
【００１３】
タッチパネル１９は、表示モニタ１６の表面に積層される透明のタッチスイッチであり、表示モニタ１６に表示される画像はタッチパネル１９を通して表示される。タッチパネル１９は、タッチパネル１９上の操作位置に応じた信号をタッチパネルコントロール部１１０に送出し、タッチパネルコントロール部１１０はタッチパネル１９のタッチ位置を算出する。
【００１４】
タッチパネル１９は入力装置１８と同様に入力機能を有する。表示モニタ１６に表示されたボタンや表示メニューなどを所定時間内に続けて２回タッチすると、タッチされたボタンやメニューに定義された処理が実行される。また、上述したように、表示モニタ１６に表示されたボタンをタッチしたしたままタッチ位置を移動することによって、タッチしたボタンをドラッグすることができる。そして、タッチを止めると、タッチを止めた位置でタッチしたボタンをドロップすることができる。
【００１５】
次に、本発明の実施形態のナビゲーション装置１におけるショートカット作成操作について、図２〜図５を参照して説明する。ナビゲーション装置１は、ユーザがナビゲーション装置１を操作するためのメニュー画面を階層的に表示する。以下では、ユーザが、最初に表示されるメニュー画面、たとえば、図２に示すトップメニュー画面に、自宅の位置を目的地設定するボタン５１をショートカットボタンとして作成するものとして説明する。トップメニュー画面２１は入力装置１８を操作することによって、表示モニタ１６に表示される。
【００１６】
図２は、表示モニタ１６に表示されるトップメニュー画面を説明するための図である。トップメニュー画面２１は地図２０に重ねて表示される。トップメニュー画面２１には、目的地を検索するための検索ボタン２２ａ、推奨経路の探索条件を設定したり、経路探索を実行したりするための探索ボタン２２ｂ、推奨経路を表示するためのルートボタン２２ｃ、および各種設定を行うための設定ボタン２２ｄが表示される。また、トップメニュー画面２１には、作成したショートカットボタンを削除する際に用いられる削除領域２３が表示される。削除領域２３の詳細については後述する。なお、自宅の位置を目的地設定するボタン５１は後述するドラック・アンド・ドロップ操作によって作成される。
【００１７】
図３は、検索ボタン２２ａを連続してタッチしたときに表示されるメニュー画面を説明するための図である。メニュー画面３１には、登録地から目的地を検索するための登録地ボタン３２ａ、ガソリンスタンドの中から目的地を検索するためのＧＳボタン３２ｂ、レジャー施設の中から目的地を検索するためのレジャーボタン３２ｃ、住所から目的地を検索するための住所ボタン３２ｄ、および電話番号から目的地を検索するための電話番号ボタン３２ｅが表示される。また、メニュー画面３１には、メニュー画面３１に表示されたボタン３２ａ〜３２ｅのショートカットボタンをトップメニュー画面２１に作成する際に使用される登録領域３３が表示される。登録領域３３の詳細については後述する。自宅の位置はナビゲーション装置１に予め登録されているので、ユーザは、登録地ボタン３２ａを所定時間内に２回続けてタッチしたものとする。
【００１８】
図４（ａ）は、登録地ボタン３２ａを連続してタッチしたときに表示される登録地メニュー画面を説明するための図である。登録地メニュー画面４１には、自宅の位置を目的地設定するための自宅ボタン４２ａが表示されている。この自宅ボタン４２ａは、ユーザが予め自宅の位置を登録することによって作成される。登録地メニュー画面４１には、予め登録した登録地１を目的地設定するための登録地１ボタン４２ｂ、予め登録した登録地２を目的地設定するための登録地２ボタン４２ｃ、予め登録した登録地３を目的地設定するための登録地３ボタン４２ｄ、および予め登録した登録地４を目的地設定するための登録地４ボタン４２ｅも表示される。また、登録地メニュー画面４１には、メニュー画面３１と同様に登録領域３３が表示される。
【００１９】
登録地メニュー画面４１に表示されているボタン４２ａ〜４２ｅは、次に説明するドラック・アンド・ドロップ操作により、図２のトップメニュー画面２１にショートカットボタンとして表示することができる。たとえば、自宅ボタン４２ａのショートカットボタン５１をトップメニュー画面２１に作成する操作を一例として説明する。図４（ｂ）に示すように、自宅ボタン４２ａをタッチした後、登録領域３３へ向けて自宅ボタン４２ａをドラッグする。そして、登録領域３３の位置でドロップする。その結果、図５に示すように、トップメニュー画面２１に、自宅ボタン４２ａのショートカットボタン５１が作成される。ユーザは、トップメニュー画面２１に表示されたショートカットボタン５１を所定時間内に続けて２回タッチすることによって、登録地メニュー画面４１を開くことなく、自宅の位置を目的地設定することができる。
【００２０】
次に、トップメニュー画面２１に作成したショートカットボタン５１の削除操作について、図６を参照して説明する。図６（ａ）に示すように、ショートカットボタン５１をタッチした後、削除領域２３へ向けてショートカットボタン５１をドラッグする。そして、削除領域２３の位置でドロップする。その結果、図６（ｂ）に示すように、トップメニュー画面２１から自宅ボタン４２ａのショートカットボタン５１が削除される。
【００２１】
本発明の実施形態におけるナビゲーション装置１のショートカットボタン作成処理について、図７のフローチャートを参照して説明する。図７の処理は、表示モニタ１６に図３に示すメニュー画面３１が表示されるとスタートするプログラムにより、制御回路１１において実行される。
【００２２】
ステップＳ７０１では、タッチパネル１９から出力される信号に基づいて、タッチを検出したか判定する。タッチを検出した場合はステップＳ７０１が肯定判定され、ステップＳ７０２へ進む。タッチが検出されない場合はステップＳ７０１を繰り返す。ステップＳ７０２では、ステップＳ７０１におけるタッチの検出が、所定時間内に２回以上のタッチを検出したものであるか判定する。ここで２回以上のタッチとは、タッチありの検出とタッチなしの検出とを２回以上連続して検出することをいう。所定時間内に２回以上のタッチを検出した場合はステップＳ７０２が肯定判定され、ステップＳ７０９へ進む。所定時間内に２回以上のタッチを検出しない場合はステップＳ７０２が否定判定され、ステップＳ７０３へ進む。
【００２３】
ステップＳ７０３では、検出したタッチ位置に基づいてタッチしたボタンを特定する。ステップＳ７０４では、ドラッグ操作で画面上を移動するタッチ位置にボタンの表示位置を移動する。ステップＳ７０５では、タッチパネル１９から出力される信号に基づいて、非タッチを検出したか判定する。非タッチとは、タッチ検出後にタッチパネル１９から指が離れる操作である。非タッチを検出しない場合はステップＳ７０５が否定判定され、ステップＳ７０４へ戻る。非タッチをが検出した場合はステップＳ７０５が肯定判定され、ステップＳ７０６へ進む。
【００２４】
ステップＳ７０６では、最後にタッチ位置を検出した位置が登録領域３３であるか判定する。登録領域３３であると判定された場合はステップＳ７０６が肯定判定され、ステップＳ７０７へ進む。登録領域３３でないと判定された場合はステップＳ７０６が否定判定され、ステップＳ７０８へ進む。ステップＳ７０７では、ドラック・アンド・ドロップされたボタンのショートカットボタンをトップメニュー画面２１に作成する。ステップＳ７０８では、ドラック・アンド・ドロップされたボタンの表示位置を図４（ａ）のメニュー画面４１に示す初期位置に戻す。そして、スタートへリターンする。
【００２５】
ステップＳ７０９では、２回タッチされたボタンを特定し、ステップＳ７１０において、タッチされたボタンに定義された処理を実行する。そして、リターンする。
【００２６】
次に、本発明の実施形態におけるナビゲーション装置１のショートカットボタン削除処理について、図８のフローチャートを参照して説明する。図８の処理は、表示モニタ１６にトップメニュー画面２１が表示されるとスタートするプログラムにより、制御回路１１において実行される。図７のショートカットボタン作成処理と共通するステップは同じ符号を付し、異なる部分を主に説明する。
【００２７】
ステップＳ８０１では、最後にタッチ位置を検出した位置が削除領域２３であるか判定する。削除領域２３であると判定された場合はステップＳ８０１が肯定判定され、ステップＳ８０２へ進む。削除領域２３ではないと判定された場合はステップＳ８０１が否定判定され、ステップＳ８０３へ進む。ステップＳ８０２では、トップメニュー画面２１からドラッグ・アンド・ドロップボタンを削除する。ステップＳ８０３では、ドラック・アンド・ドロップされたボタンの表示位置を図４（ａ）の登録地メニュー画面２１に示す初期位置に戻す。そして、スタートへリターンする。
【００２８】
以上の実施の形態によるナビゲーション装置１は次のような作用効果を奏する。
（１）登録地メニュー画面４１に表示されたボタン４２ａをドラッグし、登録地メニュー画面４１に設けた登録領域３３にドロップすることによって、トップメニュー画面２１にショートカットボタン５１を作成することができる。したがって、トップメニュー画面２１のショートカットボタン５１をユーザの意思に沿って作成することができる。また、登録地メニュー画面４１内に登録領域３３を設けたので、登録地メニュー画面４１内のドラック・アンド・ドロップ操作という簡単な操作によって、トップメニュー画面２１にショートカットボタン５１を作成することができる。
【００２９】
（２）ショートカットボタン５１を作成するトップメニュー画面２１に削除領域２３を設けたので、トップメニュー画面２１内のドラック・アンド・ドロップ操作という簡単な操作によって、トップメニュー画面２１のショートカットボタン５１を削除することができる。
【００３０】
以上の実施の形態のナビゲーション装置１を次のように変形することができる。
（１）ショートカットを作成するボタンは、図４の登録地メニュー画面４１のボタン４２ａ〜４２ｅに限定されない。
【００３１】
（２）ボタン４２ａのドラッグ・アンド・ドロップ操作によってショートカットボタン５１を作成する画面は、トップメニュー画面２１に限定されない。たとえば、表示モニタ１６に表示された地図２０上に表示してもよいし、ショートカット専用の画面を設け、その画面にショートカットボタン５１が作成されるようにしてもよい。
【００３２】
（３）トップメニュー画面２１に表示されたショートカットボタン以外のボタン２２ａ〜２２ｄについては、タッチしてドラッグした後、削除領域２３でドロップしても削除されないようにするのが好ましい。たとえば、図９（ａ）に示すように、ショートカットボタン５１ではない検索ボタン２２ａをドラッグした後、削除領域２３においてドロップしても、図９（ｂ）に示すように、検索ボタン２２ａは削除されず、「このボタンは消去できません」という通知画面９１が表示される。
【００３３】
（４）メニュー画面に表示されるボタンには、所定の処理の実行が定義された、図形などからなるアイコンやキーも含まれる。
【００３４】
（５）ナビゲーション装置１以外の車載車載電子機器、たとえば、車載用オーディオ装置にも、本発明は適用できる。
【００３５】
特許請求の範囲の要素と実施の形態との対応関係を説明する。
本発明のメニュー画面表示手段は制御回路１１に対応し、選択ボタン処理手段は制御回路１１、タッチパネル１９およびタッチパネルコントロール部１１０に対応する。ショートカットボタン作成手段およびショートカットボタン削除手段は制御回路１１、表示モニタ、タッチパネル１９およびタッチパネルコントロール部１１０に対応し、削除ボタン制限手段は制御回路１１、タッチパネル１９およびタッチパネルコントロール部１１０に対応する。なお、以上の説明はあくまで一例であり、発明を解釈する上で、上記の実施形態の構成要素と本発明の構成要素との対応関係になんら限定されるものではない。
【図面の簡単な説明】
【００３６】
【図１】本発明の実施形態のナビゲーション装置の構成を示すブロック図である。
【図２】トップメニュー画面を説明するための図である。
【図３】検索ボタンを連続してタッチしたときに表示されるメニュー画面を説明するための図である。
【図４】図４（ａ）は登録地ボタンを連続してタッチしたときに表示される登録地メニュー画面を説明するための図であり、図４（ｂ）は自宅ボタンのショートカットボタンを作成する操作を説明するための図である。
【図５】トップメニュー画面に作成されたショートカットボタンを説明するための図である。
【図６】図６（ａ）および図６（ｂ）はショートカットボタンをトップメニュー画面から削除する操作を説明するための図である。
【図７】本発明の実施形態におけるショートカット作成処理を説明するためのフローチャートである。
【図８】本発明の実施形態におけるショートカット削除処理を説明するためのフローチャートである。
【図９】図９（ａ）はトップメニュー画面のショートカットボタン以外のボタンを削除領域にドラッグ・アンド・ドロップする操作を説明するための図であり、図９（ｂ）はドラッグ・アンド・ドロップする操作をした後に表示される表示画面を説明するための図である。
【符号の説明】
【００３７】
１  ナビゲーション装置
１１  制御回路
１６  表示モニタ
１９  タッチパネル
１１０  タッチパネルコントロール部
【図１】
2008033763.tif 000003
【図２】
2008033763.tif 000004
【図３】
2008033763.tif 000005
【図４】
2008033763.tif 000006
【図５】
2008033763.tif 000007
【図６】
2008033763.tif 000008
【図７】
2008033763.tif 000009
【図８】
2008033763.tif 000010
【図９】
2008033763.tif 000011